(57)【要約】【課題】  開缶の際に、開缶用タブの引き上げが容易となる缶蓋を提供する。【解決手段】  チャック壁（４）は、中央パネル部（６）の基準面（８）に対して３０°から７０°の範囲で傾斜して形成される。また、指かけ用凹部（２９）は、開缶用タブ（２１）の直線状の縁部（２７）と環状溝（５）との間で、且つ、直線状の縁部（２７）よりも外側に形成されると共に、開缶用タブ（２１）の両側縁部（３０、３０）に対応する位置より外方に延在するように、直線状の縁部（２７）よりも長く形成される。これにより、開缶の際に、指先や指の腹は、容易に指かけ用凹部（２９）まで案内されると共に、所望の方向から指先や指の腹を開缶用タブ（２１）の下に滑り込ませるためのスペースが確保される。【選択図】        図１
2006027670.tif 000002
【特許請求の範囲】
【請求項１】
缶蓋本体外周の巻締部から立ち下がり形成されたチャック壁と、
該チャック壁の内方に連なって形成された環状溝と、
該環状溝より内方の中央パネル部に、その内部を開口片とするように形成されたスコアと、
一端に直線状の縁部を有する引上げ部が形成されると共に、他端に前記開口片を押圧する押圧部が形成され、その中間部分がリベットにより前記中央パネル部に固定された開缶用タブと、
前記中央パネル部に、前記開缶用タブの前記直線状の縁部と前記環状溝との間に位置するように形成された指かけ用凹部とを有する缶蓋において、
前記チャック壁は、前記中央パネル部の基準面に対して３０°から７０°の範囲内で傾斜して形成され、
前記指かけ用凹部は、前記開缶用タブの一端の直線状の縁部よりも外側に形成されると共に、該開缶用タブの両側縁部に対応する位置より外方に延在するように該縁部よりも長く形成されたことを特徴とする缶蓋。
【請求項２】
前記指かけ用凹部が、前記環状溝に連続して形成されたことを特徴とする請求項１記載の缶蓋。
【発明の詳細な説明】
【技術分野】
【０００１】
本発明は、飲料缶に使用されるステイオンタブタイプの缶蓋に関する。
【背景技術】
【０００２】
缶蓋は、例えば有底円筒形状をなす缶胴の開口端に対してこれを閉塞するように取り付けられることで、缶胴とともに飲料缶を形成するものである。この種の缶蓋として、例えば特許文献１及び特許文献２には、缶蓋本体外周の巻締部から立ち下がり形成されたチャック壁と、チャック壁の内方に連なり、補強その他の目的から、缶蓋本体の一部を裏面側に向けて凸状に屈曲されて形成された環状溝と、環状溝よりも内方の中央パネル部に、その内部を開口片とするように形成されたスコアと、一端に直線状の縁部を有する引上げ部が形成されると共に、他端に開口片を押圧する押圧部が形成され、その中間部分がリベットにより中央パネル部に固定されたタブとが設けられたものが知られている。
また、特許文献１及び特許文献２に記載された缶蓋には、中央パネル部に、開缶用タブ（以下、タブと称する）の一端近傍と環状溝との間に位置するように指かけ用凹部が形成されている。
【特許文献１】特開２００２−５９９２８号公報
【特許文献２】実公平３−４４６６１号公報
【０００３】
このような缶蓋では、従来から、開缶の際にタブの引き上げを容易に行えるようにするための工夫が種々為されてきた。
【０００４】
例えば、特許文献１には、一端に円弧状の縁部を有する引上げ部が形成され、他端に開口片を押圧する押圧部が形成された、いわゆるラウンドテール型のタブを有し、このタブの円弧状の縁部の一部分に沿って指かけ用凹部が形成された缶蓋が記載されており、ここに記載されたものには、タブの引き上げを簡単に行えるよう配慮が為されている。
【０００５】
また、特許文献２にも、一端に直線状の縁部を有する引上げ部が形成され、他端に開口片を押圧する押圧部が形成されたいわゆるフラットテール型のタブを有し、このタブの直線状の縁部の下で開口し、タブの両側方に延在するように直線状の縁部よりも長い指かけ用凹部が形成された缶蓋が記載されており、ここに記載されたものには、タブの引き上げを簡単に行えるよう配慮が為されている。
【発明の開示】
【発明が解決しようとする課題】
【０００６】
タブには、ユーザーによって種々の引き上げ方が存在するのが実状である。例を挙げれば、（１）一本の指先を一端の縁部に引っかける引き上げ方、（２）二本の指先をタブの両側縁に引っかける引き上げ方、（３）指の腹で一端の縁部を押し上げる引き上げ方、の如くであり、引き上げ方の相違によって、ラウンドテール型の方が引き上げ易い場合と、フラットテール型の方が引き上げ易い場合とに分かれるとの知見が本発明者により得られている。
【０００７】
具体的には、前記（１）の引き上げ方をする多くのユーザーにとっては、フラットテール型のタブが好適であり、前記（２）や（３）の引き上げ方をするユーザーにとっては、むしろラウンドテール型のタブが好適であることがわかってきている。
【０００８】
ところで、前記特許文献１に記載のラウンドテール型のタブを有する缶蓋においては、指かけ用凹部が形成されてはいるが、前記（１）の引き上げ方を行おうとすると、タブの一端の円弧状の縁部と指先との間で十分な接触を得ることが難しく、タブの中心線に対してずれた方向に指の力が作用する場合が生じる。このため、タブを引き上げるのに余計な力が必要となる上、開口部が中心線に沿ってうまく開かないといった問題が指摘されていた。
【０００９】
一方、前記特許文献２に記載のフラットテール型のタブを有する缶蓋においては、指かけ用凹部は、タブの幅よりも十分な広さを有するように形成されている。従って、タブの一端の直線状の縁部を引き上げようとする際に、一旦、指先や指の腹をタブの下に滑り込ませることができれば、タブを引き上げることは比較的容易となるよう配慮が為されている。しかしながら、缶蓋のチャック壁が中央パネルから急峻に立ち上がっているため、指先や指の腹を指かけ用凹部に至らせようとする際に、凹凸感を感じるため操作し辛いという問題点があった。
【００１０】
また、前記特許文献２に記載の缶蓋においては、指かけ用凹部は、フラットテール型タブの直線状の縁部の下で開口されているため、タブの直線状の縁部と指かけ用凹部との間隔が狭くなってしまい、この点からも指先や指の腹をタブの下に滑り込ませることが難しいという問題が生じていた。
【００１１】
本発明は、上記の事情に鑑みてなされたものであって、フラットテール型のタブを有する缶蓋であっても、容易にタブを引き上げることができる缶蓋を提供することを目的とするものである。
【課題を解決するための手段】
【００１２】
上記課題を解決して、このような目的を達成するために、請求項１記載の缶蓋は、缶蓋本体外周の巻締部から立ち下がり形成されたチャック壁と、該チャック壁の内方に連なって形成された環状溝と、該環状溝より内方の中央パネル部に、その内部を開口片とするように形成されたスコアと、一端に直線状の縁部を有する引上げ部が形成されると共に、他端に前記開口片を押圧する押圧部が形成され、その中間部分がリベットにより前記中央パネル部に固定された開缶用タブと、前記中央パネル部に、前記開缶用タブの前記直線状の縁部と前記環状溝との間に位置するように形成された指かけ用凹部とを有する缶蓋において、前記チャック壁が、前記中央パネル部の基準面に対して３０°から７０°の範囲内で傾斜して形成され、前記指かけ用凹部は、前記開缶用タブの一端の直線状の縁部よりも外側に形成されると共に、該開缶用タブの両側縁部に対応する位置より外方に延在するように前記縁部よりも長く形成されたことを特徴とする。
【００１３】
この請求項１記載の発明によると、チャック壁は、中央パネル部の基準面に対して３０°から７０°の範囲で傾斜して形成されており、このチャック壁の傾斜面により、指先や指の腹が指かけ用凹部に案内される。
また、指かけ用凹部は、タブの直線状の縁部と環状溝との間に位置し、且つ、当該縁部よりも外側に形成されたので、当該縁部と指かけ用凹部との間隔が十分に確保される。
更に、指かけ用凹部は、タブの両側方に延在するように、一端の直線状の縁部よりも長く形成されたので、所望の方向から指先や指の腹をタブの下に滑り込ませるためのスペースが確保される。
【００１４】
請求項２記載の缶蓋は、前記指かけ用凹部が、前記環状溝に連続して形成されたことを特徴とする。
【００１５】
この請求項２記載の発明によると、指かけ用凹部の開口面積が一層増大されたので、所望の方向から指先や指の腹をタブの下に滑り込ませるためのスペースがより確保される。
【発明の効果】
【００１６】
本発明に係る缶蓋によれば、チャック壁が中央パネル部の基準面に対して３０°から７０°の範囲で傾斜して形成されたので、指先や指の腹が、巻締部からチャック壁の傾斜面をなぞって、容易に指かけ用凹部まで案内され得る。
また、指かけ用凹部は、タブの直線状の縁部と環状溝との間に位置し、且つ、当該縁部よりも外側に形成されたので、当該縁部と指かけ用凹部との間隔を十分に広く取ることができ、指先や指の腹をタブの下にスムーズに滑り込ませることができる。
更に、指かけ用凹部は、タブの両側縁部に対応する位置より外方に延在するように、一端の直線状の縁部よりも長く形成されたので、所望の方向から指先や指の腹をタブの下に滑り込ませるためのスペースが確保される。従って、必要に応じて、指先をタブの両側縁に引っかける場合であっても、指の腹で一端の縁部を押し上げる場合であっても、所望の方向から指先や指の腹をタブの下に滑り込ませることが可能となると共に、開缶の際にタブを引き上げることが一層容易となる。
【００１７】
また、指かけ用凹部が環状溝に連続して形成されることにより、指かけ用凹部の開口面積を一層大きくすることができる。従って、チャック壁を中央パネル部の基準面に対して３０°から７０°の範囲で傾斜して形成したことと相俟って、指先や指の腹が、チャック壁の傾斜面を滑りながら指かけ用凹部に至ることができるので、一層操作が容易となる。
【発明を実施するための最良の形態】
【００１８】
図１及び図２は、本発明に係る缶蓋の第一の実施形態を示すものである。缶蓋１は、図示しない有底円筒形状をなす缶胴の開口端に対してこれを閉塞するように取り付けられることで、缶胴とともに飲料用等の缶を形成するものである。
【００１９】
缶蓋１は、略円板形状をなすものであって、缶蓋本体２の外周の巻締部３から立ち下がり形成されたチャック壁４と、このチャック壁４の内方に、補強その他の目的から、一部を裏面側（図１中紙面奥行側）に向けて凸状に屈曲された環状溝５を有している。この環状溝５よりも内周側は中央パネル部６とされており、この中央パネル部６の一部を為し、後述するスコア７等が形成されていない部分は、基準面８とされている。
チャック壁４は、この基準面８に対してα（３０°から７０°の間）の角度で傾斜して形成されている。
【００２０】
中央パネル部６には、開口時に切り裂かれるスコア７が刻設され、このスコア７に囲まれるようにして開口片９が設けられている。開口片９上には、スコア７に沿うようにして表側（図１中紙面手前方向）に膨出したインナービード１０が形成され、開口片９を補強している。なお、スコア７は閉曲線状には形成されておらず、始点７ａと終点７ｂとを有する曲線状に形成されている。そして、中央パネル部６上には、さらに、スコア７を切り裂いて開口片９を缶の内側に押し下げ、缶蓋１を開口する開缶用タブ２１（以下、タブ２１と称する）が設けられている。
【００２１】
このタブ２１は、プレス加工等によりアルミ等のシート状金属から形成される平坦な形状を呈しており、シート状金属の外縁から内方に位置する付近に固着部２２が形成されている。固着部２２は、開口片９を仕切るスコア７の始点７aよりやや中央寄りの部分に位置させられている。そして、固着部２２は、リベット２３により中央パネル部６に固着されている。ここで、固着部２２に挿通されたリベット２３の周囲には、後端側（図１中右側）に弧を有するようなＵ字状のタングホール２４が穿設されている。
【００２２】
そして、前記固着部２２を挟んで、一方の側の先端部分（図１中左側の部分）には、開口片９の中央寄りの部分に臨み、開口時には開口片９に当接してこれを裏面側（図１中紙面奥行き方向）に押し下げる押下部としてのタブノーズ２５が形成され、また、他方の側の後端部分（図１中右側の部分）には、開口時に指等が引掛けられて中央パネル部６より図１中紙面手前方向に引上げられる引上部としてのタブテール２６が形成されている。
【００２３】
本実施の形態においては、タブ２１はいわゆるフラットテール型と称されるものであり、タブテール２６の終端は直線状の縁部２７となっている。また、タブテール２６の内側の部分から先端方向に向う部分には、指を引掛けやすくするフィンガーホール２８が形成されている。
【００２４】
このような構成とされた缶蓋１は、先ず、タブテール２６が引上げられることで、固着部２２が引上げられるとともに、固着部２２が支点となってタブノーズ２５が下方（図１中紙面奥行側）に動いて開口片９に当接し、この当接した部分を押し下げ、スコア７を挟んで缶蓋本体２上に上下方向に加わる力によって始点７ａ付近のスコア７がスコアノーズより破断され（ポップ工程）、次いで、タブノーズ２５が開口片９をさらに下方に押し下げてスコア７が全周にわたって破断され（ティア工程）、開口片９の部分が開口されるようになっている。
【００２５】
開口片９は、スコア７が切り裂かれた後もスコア７の始点７ａと終点７ｂとの間の部分で中央パネル部６に繋げられており、缶蓋１の開口後、開口片９とタブ２１が缶蓋本体２から離れないステイオンタブ型の缶蓋となっている。
【００２６】
本実施形態においては、直線状の縁部２７の近傍に指かけ用凹部２９がタブ２１の外方から環状溝５の方向に向けて凹設されている。この指かけ用凹部２９は、底面２９ａ、タブ２１側の傾斜面２９ｂ、環状溝５側の傾斜面２９ｃからなり、長手方向は、タブ２１の両側縁３０、３０に対応する位置より外方に延在するように縁部２７よりも長く形成されている。また、基準面８から底面２９ａまでの距離は、基準面８から環状溝５までの距離よりも小さくされている。
【００２７】
指かけ凹部２９は、指先や指の腹を確実に凹部２９に収容すべく、縁部２７より外側（環状溝５側）に形成されている。尚、本実施形態では、傾斜面２９ｂも縁部２７より外側に形成されているが、底面２９ｃが縁部２７よりも外側に位置していれば、傾斜面２９ｂは縁部２７よりも内方（フィンガーホール２８側）にあっても差し支えない。
【００２８】
上記の構成からなる缶蓋によると、チャック壁４はα（３０°から７０°の間）の角度で傾斜して形成されているので、指先や指の腹が、巻締部３からチャック壁４の傾斜面をなぞって、容易に指かけ用凹部２９まで案内され得る。
また、指かけ用凹部２９は、タブ２１の直線状の縁部２７と環状溝５との間に位置し、且つ、当該縁部２７よりも外側に形成されたので、当該縁部２７と指かけ用凹部２９との間隔を十分に広く取ることができ、指先や指の腹をタブ２１の下にスムーズに滑り込ませることができ、開缶の際にタブ２１を引き上げることが容易となる。
更に、指かけ用凹部２９は、タブ２１の両側縁３０、３０に対応する位置より外方に延在するように縁部２７よりも長く形成されたので、指先をタブ２１の両側縁３０、３０に引っかける場合であっても、指の腹で一端の縁部２７を押し上げる場合であっても、所望の方向から指先や指の腹をタブ２１の下に滑り込ませるスペースが確保され、フラットテール型のタブ２１を有する缶蓋１であっても、開缶の際にタブ２１を引き上げることが一層容易となる。
【００２９】
次に、本発明の第二の実施形態を図３及び図４に基づいて説明する。なお、この第二の実施形態において、第一の実施形態と共通する部分には同一の符号を配して説明を省略する。
【００３０】
図３及び図４においては、所望の方向から指先や指の腹をタブ２１の下に滑り込ませるためのスペースをより一層確保すべく、指かけ用凹部４９は、環状溝５に連続して形成されている。具体的には、指かけ用凹部４９の底面４９ａは、環状溝５に連続しており、第一実施形態における環状溝５側の傾斜面が存在しない構成とされている。
【００３１】
従って、指かけ用凹部４９が環状溝５に連続して形成されることにより、指かけ用凹部４９の開口面積を一層大きくすることができる。これにより、チャック壁４を中央パネル部６の基準面８に対して３０°から７０°の範囲で傾斜して形成したことと相俟って、指先や指の腹が、チャック壁４の傾斜面を滑りながら指かけ用凹部４９に至ることができるので、更に操作が容易となる。
【図面の簡単な説明】
【００３２】
【図１】本発明の第一の実施形態を示す缶蓋の平面図である。
【図２】図１のＡ−Ａ線視断面図である。
【図３】本発明の第二の実施形態を示す缶蓋の平面図である。
【図４】図３のＢ−Ｂ線視断面図である。
【符号の説明】
【００３３】
１  缶蓋  ２  缶蓋本体  ４  チャック壁  ５  環状溝  ８  基準面  ２１  開缶用タブ  ２７  直線状の縁部  ２９，４９  指かけ用凹部  ２９ａ，４９ａ  指かけ用凹部底面  ２９ｂ，４９ｂ  指かけ用凹部のタブ側の傾斜面  ２９ｃ  指かけ用凹部の環状溝側の傾斜面  ３０  側縁  α  チャック壁の傾斜角（３０°から７０°）
【図１】
2006027670.tif 000003
【図２】
2006027670.tif 000004
【図３】
2006027670.tif 000005
【図４】
2006027670.tif 000006